(57)【要約】【課題】所望する画像部分を含む画像範囲を容易に撮像することができるようにする。【解決手段】（ａ）に示すように、通常時のスルー画像範囲を視野拡張率１００％とし、カーソルキーの操作に応じて、同図（ｄ）の視野拡張率を横２００％、縦２００％まで可変自在とする。そして、（ｂ）に示すように、撮影領域内７９３はカラー表示し、撮影領域外７９４はモノクロ表示する。撮影領域外７９４は、スルー表示されるが記録されない表示範囲であり、撮影領域内７９３をシャッタ操作に伴って、撮影、記録する。【選択図】      図５
2011229172.tif 000002
【特許請求の範囲】
【請求項１】
被写体を撮像して画像データを出力する撮像手段と、
この撮像手段から出力される画像データに基づき前記被写体のスルー画像を画面に表示する表示手段と、
記録する画像サイズを設定する画像サイズ設定手段と、
視野拡張率を設定する拡張率設定手段と、
前記拡張率設定手段により設定された視野拡張率に従って、前記画像サイズ設定手段により設定された画像サイズよりも広範囲のスルー画像を前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御手段と、
を備えることを特徴とする撮像装置。
【請求項２】
前記表示制御手段は、前記画像サイズ設定手段により設定された画像サイズに相当するスルー画像部分と、前記画像サイズを越えるスルー画像部分とを異なる表示態様で前記表示手段に表示させることを特徴とする請求項２又は３記載の撮像装置。
【請求項３】
前記表示制御手段は、前記画像サイズに相当するスルー画像部分をカラー表示し、前記画像サイズを越えるスルー画像部分をモノクロ表示することを特徴とする請求項５記載の撮像装置。
【請求項４】
前記表示制御手段は、前記拡張率設定手段により設定された視野拡張率を前記表示手段に表示させることを特徴とする請求項３から６にいずれか記載の撮像装置。
【請求項５】
撮影指示に応答して、前記設定手段により設定された画像サイズに相当する画像データを記録手段に記録する記録制御手段を備えることを特徴とする請求項１、２又は３記載の撮像装置。
【請求項６】
前記撮像手段に被写体像を結像させる光学系を備え、
該光学系は、広角レンズを含むことを特徴とする請求項１から８にいずれか記載の撮像装置。
【請求項７】
前記撮像手段に被写体像を結像させズームレンズを含む光学系と、
前記拡張率設定手段により設定された視野拡張率に応じて、前記光学系を駆動する駆動手段とを備えることを特徴とする請求項１から８にいずれか記載の撮像装置。
【請求項８】
前記撮像手段から出力される前記画像データを画素加算処理するデジタルズーム手段を備えることを特徴とする請求項１から８にいずれか記載の撮像装置。
【請求項９】
被写体を撮像して画像データを出力する撮像手段と、この撮像手段から出力される画像データに基づき前記被写体のスルー画像を画面に表示する表示手段とを備える撮像装置が有するコンピュータを、
記録する画像サイズを設定する画像サイズ設定手段と、
視野拡張率を設定する拡張率設定手段と、
この画像サイズ設定手段により設定された前記画像サイズに応じて、前記画像データに基づき前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御手段として機能させることを特徴とする表示制御プログラム。
【請求項１０】
被写体を撮像して画像データを出力する撮像手段と、この撮像手段から出力される画像データに基づき前記被写体のスルー画像を画面に表示する表示手段とを備える撮像装置における表示制御方法であって、
記録する画像サイズを設定する画像サイズ設定工程と、
視野拡張率を設定する拡張率設定工程と、
この画像サイズ設定工程により設定された前記画像サイズに応じて、前記画像データに基づき前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御工程とを含むことを特徴とする撮像装置の表示制御方法。
【発明の詳細な説明】
【技術分野】
【０００１】
本発明は、電子ファインダー等の被写体を表示する手段を備えた撮像装置、この撮像装置の表示制御プログラム及び表示制御方法に関する。
【背景技術】
【０００２】
従来の撮像装置としては、下記特許文献１及び２に記載のものが公知である。
特許文献１；正方形の画像を撮影してデジタル画像データに変換し、縦／横切換手段の状態に応じて、正方形の画像データの縦又は横を切り取った一部領域を画像メモリに記録する。
特許文献２；被写体画像上の第１点と第２点とを指定してトリミング位置を指定し、第１点と第２点との縦もしくは横方向の一方の寸法とアスペクト比とに基づいてトリミング範囲を設定する。
【先行技術文献】
【特許文献】
【０００３】
【特許文献１】特許第２８８２３９１号公報
【特許文献２】特許第３３７２９８９号公報
【発明の概要】
【発明が解決しようとする課題】
【０００４】
しかしながら、特許文献１記載の技術にあっては、正方形の画像データの縦又は横を切り取った一部領域を画像メモリに記録することから、切り取られた部分にユーザが所望する画像部分を含まれているか否かを事前に確認することができない。このため、切り取られた部分に所望する画像部分を含まれていない場合が生じ、ユーザが所望する画像部分を含む画像を記憶させることができない。
【０００５】
一方、特許文献２記載の技術にあっては、トリミング範囲内にユーザが所望する画像部分を含ませたり、ユーザが所望する形状の画像範囲を記録することが可能となる。しかし、撮影に際して被写体画像上の第１点と第２点とを指定してトリミング位置を指定する操作を行うことは煩雑であり、ユーザが所望する画像部分を含む画像範囲を容易に指定することができない。
【０００６】
本発明は、かかる従来の課題に鑑みてなされたものであり、所望する画像部分を含む画像範囲を容易に撮像することのできる撮像装置、この撮像装置の表示制御プログラム及び撮像装置の表示制御方法を提供することを目的とする。
【課題を解決するための手段】
【０００７】
前記課題を解決するため請求項１記載の発明に係る撮像装置にあっては、被写体を撮像して画像データを出力する撮像手段と、この撮像手段から出力される画像データに基づき前記被写体のスルー画像を画面に表示する表示手段と、記録する画像サイズを設定する画像サイズ設定手段と、視野拡張率を設定する拡張率設定手段と、前記拡張率設定手段により設定された視野拡張率に従って、前記画像サイズ設定手段により設定された画像サイズよりも広範囲のスルー画像を前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御手段と、を備えることを特徴とする。
【０００８】
また、請求項２記載の発明に係る撮像装置にあっては、前記表示制御手段は、前記画像サイズ設定手段により設定された画像サイズに相当するスルー画像部分と、前記画像サイズを越えるスルー画像部分とを異なる表示態様で前記表示手段に表示させることを特徴とする。
【０００９】
また、請求項３記載の発明に係る撮像装置にあっては、前記表示制御手段は、前記画像サイズに相当するスルー画像部分をカラー表示し、前記画像サイズを越えるスルー画像部分をモノクロ表示することを特徴とする。
【００１０】
また、請求項４記載の発明に係る撮像装置にあっては、前記表示制御手段は、前記拡張率設定手段により設定された視野拡張率を前記表示手段に表示させることを特徴とする。
【００１１】
また、請求項５記載の発明に係る撮像装置にあっては、撮影指示に応答して、前記設定手段により設定された画像サイズに相当する画像データを記録手段に記録する記録制御手段を備えることを特徴とする。
【００１２】
また、請求項６記載の発明に係る撮像装置にあっては、前記撮像手段に被写体像を結像させる光学系を備え、該光学系は、広角レンズを含むことを特徴とする。
【００１３】
また、請求項７記載の発明に係る撮像装置にあっては、前記撮像手段に被写体像を結像させズームレンズを含む光学系と、前記拡張率設定手段により設定された視野拡張率に応じて、前記光学系を駆動する駆動手段とを備えることを特徴とする。
【００１４】
また、請求項８記載の発明に係る撮像装置にあっては、前記撮像手段から出力される前記画像データを画素加算処理するデジタルズーム手段を備えることを特徴とする。
【００１５】
また、請求項９記載の発明に係る表示制御プログラムにあっては、被写体を撮像して画像データを出力する撮像手段と、この撮像手段から出力される画像データに基づき前記被写体のスルー画像を画面に表示する表示手段とを備える撮像装置が有するコンピュータを、記録する画像サイズを設定する画像サイズ設定手段と、視野拡張率を設定する拡張率設定手段と、この画像サイズ設定手段により設定された前記画像サイズに応じて、前記画像データに基づき前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御手段として機能させることを特徴とする。
【００１６】
また、請求項１０記載の発明に係る撮像装置の表示制御方法にあっては、被写体を撮像して画像データを出力する撮像手段と、この撮像手段から出力される画像データに基づき前記被写体のスルー画像を画面に表示する表示手段とを備える撮像装置における表示制御方法であって、記録する画像サイズを設定する画像サイズ設定工程と、視野拡張率を設定する拡張率設定工程と、この画像サイズ設定工程により設定された前記画像サイズに応じて、前記画像データに基づき前記表示手段に表示するとともに、該画像サイズに相当するスルー画像部分に枠を表示させ、かつ、前記拡張率設定手段により設定された視野拡張率を示す数値を前記表示手段に表示させるように、前記スルー画像の範囲を制御する表示制御工程とを含むことを特徴とする。
【発明の効果】
【００１７】
本発明によれば、所望する画像部分を含むか否かを視認しつつ撮影を行うことができ、その結果、当該所望する画像部分を含む画像範囲を容易に撮像することが可能となる。
【図面の簡単な説明】
【００１８】
【図１】本発明の一実施の形態に係るデジタルカメラの平面図、（ｂ）は背面図である。
【図２】同実施の形態に係る撮像装置の回路構成を示すブロック図である。
【図３】同実施の形態における全体的処理手順を示すフローチャートである。
【図４】図３に続くフローチャートである。
【図５】同実施の形態における表示例を示す図である。
【図６】光学＆デジタル連動のズーム処理（１）を示すフローチャートである。
【図７】光学＆デジタル連動のズーム処理（１）により得られる具体的数値を示す図である。
【図８】光学＆デジタル連動のズーム処理（２）を示すフローチャートである。
【図９】光学＆デジタル連動のズーム処理（２）により得られる具体的数値を示す図である。
【図１０】画質劣化の少ないデジタルズーム処理のサブルーチンを示すフローチャートである。
【図１１】撮像素子の回路構成例を示す図である。
【図１２】ズームレンズ系の構成例と光学ズーム倍率、視野拡張率の関係を示す図である。
【図１３】その他の表示画面例を示す図である。
【図１４】その他の表示画面例を示す図である。
【発明を実施するための形態】
【００１９】
以下、本発明の一実施の形態を図に従って説明する。図１（ａ）は本発明の一実施の形態に係るデジタルカメラ１００の平面図、同図（ｂ）は背面図である。このデジタルカメラ１００の本体１０１には、その前面に、撮像レンズ１０２が設けられている。また、上面には、電源スイッチ１０３、シャッタ釦（レリーズ釦）１０４、ズームレバー１０５、撮影モードダイアル１０６、一般ダイアル１０７が設けられている。背面には、光学ファインダー１０８、ＯＫキー１０９、カーソルキー１１０、ＤＩＳＰＬＡＹキー１１１、ＭＥＮＵキー１１２、及び表示部７９が設けられている。そして、モードダイアル１９の操作により後述するフローチャートに示す各種モードが設定され、各種モードが設定されている状態でカーソルキー１１０とＯＫキー１０９が操作されることにより、当該モードにおける選択肢の選択が可能となる。また、表示部７９は、ＬＣＤパネルからなり、記録された静止画及び動画を再生表示するモニタとしての機能も兼用する。
【００２０】
図２は、デジタルカメラ１００の回路構成を示すブロック図である。このデジタルカメラ１００は、高速連続撮影機能を備えており、図に示すように、制御回路２を有している。制御回路２には、ＣＰＵ３とこのＣＰＵ３にデータバス４を介して各々接続されたインターフェース５、音声入出力回路６、入力回路７、メモリカードインターフェース８、ＵＳＢコントローラ９、入出力インターフェース１０、入出力ポート１２、１３、ＨＤＤインターフェース１４が設けられている。音声入出力回路６には、マイク１６がアンプ１７及びＡ／Ｄ変換器１８を介して接続されているとともに、スピーカ１９がアンプ２０及びＤ／Ａ変換器２１を介して接続されている。入力回路７には、各種操作キー、スイッチ等が設けられた操作入力部２２が接続され、メモリカードインターフェース８には脱着自在に設けられた画像メモリ媒体２５が接続されている。ＵＳＢコントローラ９はＵＳＢ端子２６に接続されており、入出力インターフェース１０はアンテナ２７を有する無線ＬＡＮ送受信部２８に通信コントローラ２９を介して接続されている。
【００２１】
前記入出力ポート１２には、焦点レンズ駆動部３２、ズームレンズ駆動部３３、絞り駆動部３４及びシャッタ駆動部３５が接続されているとともに、ストロボ３６がストロボ駆動回路３７を介して接続され、測光／測距センサ３８が検出回路３９を介して接続されている。前記入出力ポート１３には、当該デジタルカメラ１００の上下方向のブレを検出する角速度センサ（Ｙ／Ｐｉｔｃｈ）４０と、上下方向のブレを検出する角速度センサ（Ｘ／Ｙａｗ）４２とが各々検出回路４１、４３を介して接続されている。ＨＤＤインターフェース１４には、ＨＤＤ記憶装置４６が接続されている。ＨＤＤ記憶装置４６は、ディスク媒体４７を有するとともに、モータ４８、モータドライバ４９、マイコン部５０、ＶＣモータ５１、ヘッドアンプ５２、リード／ライトチャンネル＋ＣＯＤＥＣ５３、ＨＤＤ制御部５４等を有している。
【００２２】
また、制御回路２には、電池４４が電源制御部４５を介して接続され、電源制御部４５は制御回路２により制御されて各部に電池４４からの電力を供給する。さらに、前記データバス４には音声ＣＯＤＥＣ（符号器／復号器）１５、プログラムメモリ２３及びデータメモリ２４が接続されている。音声ＣＯＤＥＣ１５は、音声信号を符号化するとともに音声データを復号化する。プログラムメモリ２３は、後述するフローチャートに示す制御回路２が動作するためのプログラムを格納しており、データメモリ２４は各種データが予め格納されているとともに画像データ以外の他のデータを格納する。
【００２３】
一方、ズームレンズ及び広角レンズを含む撮像光学系５５の後方光軸上には、撮像素子５６が配置されているとともに、撮像光学系５５中には前記絞り駆動部３４により駆動される絞り５７及び前記シャッタ駆動部３５により駆動されるシャッタ５８が介挿されている。また、前記焦点レンズ駆動部３２は、撮像光学系５５中の焦点レンズを駆動し、ズームレンズ駆動部３３はズームレンズを駆動するように構成されている。
【００２４】
前記撮像素子５６は、並列読み出しなどの高速読み出しが可能なものであり、イメージセンサ部５９、水平走査部６０、垂直走査部６１、Ｐ／Ｓ変換部６２を有している。この撮像素子５６には、ＤＳＰ部６３が接続されている。ＤＳＰ部６３には、撮像素子５６のＰ／Ｓ変換部６２から取り込んだ画像信号を処理するためのＳ／Ｐ変換部６４、バッファメモリ６５、ＷＢ補正部６６、リサイズ／画素補間部６７、カラー補間部６８、輪郭補正部６９、ガンマ補正部７０、マトリクス回路部７１を備えているとともに、前記垂直走査部６１の周期を制御するためのコントローラ７３、前記バッファメモリ６５及び画像認識処理ほかデジタル信号処理部７２を備えている。
【００２５】
前記マトリクス回路部７１と画像認識処理ほかデジタル信号処理部７２とは、画像データバス７４を介してバッファメモリ７５、画像ＣＯＤＥＣ（符号器／復号器）７６、動画像ＣＯＤＥＣ（符号器／復号器）７７及び表示駆動回路７８に接続され、画像データバス７４は前記制御回路２のインターフェース５に接続されている。画像認識処理ほかデジタル信号処理部７２は、撮影された複数の画像をデジタル処理して合成し、バッファメモリ７５は、画像ＣＯＤＥＣ７６及び動画像ＣＯＤＥＣ７７が符号化及び復号化処理する際の画像データを一時的に格納し、表示駆動回路７８は、（ファインダー）表示部７９を駆動する。
【００２６】
（全体的動作）
図３及び図４は、本実施の形態における処理手順を示す一連のフローチャートである。制御回路２はプログラムメモリ２３に格納されているプログラムに基づき、このフローチャートに示すような処理を実行する。先ず、静止画撮影モードが設定されているか否かを判断し（ステップＳ１０１）、設定されていない場合には、後述する図４のステップＳ１１９に進む。
【００２７】
静止画撮影モードが設定されている場合には、ユーザによる操作入力部２２での操作に応じて、画像メモリ媒体２５に記録する画像のサイズである記録画像サイズ（横：ＸＲ，縦：ＹＲ）、縦横比などを設定する（ステップＳ１０２）。次に、撮影モード、撮影条件等を設定した後（ステップＳ１０３）、ワイドファインダーの選択、又はファインダー視野拡張率ＷＲ（％）を設定する（ステップＳ１０４）。
【００２８】
図５は、このステップＳ１０４での設定動作を示す説明図である。同図（ａ）に示すように、通常時のスルー画像範囲を視野拡張率１００％とし、カーソルキー１１０の操作に応じて、同図（ｄ）の視野拡張率を横２００％、縦２００％まで可変自在である。そして、カーソルキー１１０の操作により、１００％〜２００％×２００％を選択し、ＯＫキー１０９を操作することにより、ファインダーの視野拡張率ＷＲ（％）が設定される。
【００２９】
なお、図５（ｄ）の画像がデジタルズーム処理されていない画像、つまりズーム倍率「１」の画像であり、（ｄ）（ｃ）（ｂ）（ａ）の順にデジタルズーム倍率が大きい画像である。無論、図５（ｄ）最大の視野拡張率２００％×２００％の画像は、撮像素子５６の撮像範囲内において撮像可能な範囲である。
【００３０】
このようにして、ファインダー視野拡張率ＷＲ（％）が設定されたならば、表示書込画像サイズ（Ｘｄ，Ｙｄ）と、設定された視野拡張率ＷＲ（％）とに応じて、下記式により表示部７９に出力する画像のサイズである出力画像サイズ（ＸＯＵＴ，ＹＯＵＴ）を設定する（ステップＳ１０５）。
ＸＯＵＴ＝（ＷＲ／１００）・Ｘｄ
ＹＯＵＴ＝（ＷＲ／１００）・Ｙｄ
【００３１】
ここで、表示書込画像サイズ（Ｘｄ，Ｙｄ）は、ワイドファインダーが選択されない通常の撮影時にバッファメモリ７５に書き込まれて、表示駆動回路７８を介し表示部７９に転送される画像の縦横サイズ（画素数）であり、出力画像サイズ（ＸＯＵＴ，ＹＯＵＴ）はこのステップＳ１０５の処理が実行された後において、バッファメモリ７５に書き込まれて、表示駆動回路７８を介し表示部７９に転送される画像の縦横サイズある。
【００３２】
したがって、表示書込画像サイズ（Ｘｄ，Ｙｄ）を、ユーザにより設定された視野拡張率ＷＲ（％）を用いて、（ＷＲ／１００）倍し、これを出力画像サイズ（ＸＯＵＴ，ＹＯＵＴ）とすることにより、出力画像サイズ（ＸＯＵＴ，ＹＯＵＴ）は、表示書込画像サイズ（Ｘｄ，Ｙｄ）の（ＷＲ／１００）倍となる。このときＷＲ≧１００であるから、出力画像サイズ（ＸＯＵＴ，ＹＯＵＴ）は、表示書込画像サイズ（Ｘｄ，Ｙｄ）以上の値となる。つまり、ＷＲ＝２００％であったとすると、
ＸＯＵＴ＝（２００／１００）・Ｘｄ＝２Ｘｄ
ＹＯＵＴ＝（２００／１００）・Ｙｄ＝２Ｙｄ
となる。
【００３３】
次に、撮像フル画像サイズ（ＸＦ，ＹＦ）と前記出力画像サイズ（ＸＯＵＴ，ＹＯＵＴ）とに応じて、下記例示式により、デジタルズーム倍率（ＤＺ）の限界（ＤＺＭＡＸ）を設定する（ステップＳ１０６）。
（例）ＤＺＭＡＸ＝ＸＦ／ＸＯＵＴ
又は  ＤＺＭＡＸ＝ＹＦ／ＹＯＵＴ
【００３４】
ここで、撮像フル画像サイズ（ＸＦ，ＹＦ）は、撮像素子５６により撮像可能な最大の画像サイズである。したがって、デジタルズーム倍率（ＤＺ）の限界（ＤＺＭＡＸ）は、出力画像サイズ（ＸＯＵＴ，ＹＯＵＴ）が大きいほど小さな値となる。
【００３５】
次に、ズーム操作があったか否かを判断し（ステップＳ１０７）、あった場合にはズーム処理（又は、さらに、画質劣化の少ないデジタルズーム処理）を実行する（ステップＳ１０８）。なお、このステップＳ１０８における画質劣化の少ないデジタルズーム処理にの詳細については、後述のフローチャートにおいて説明する。
【００３６】
引き続き、スルー画像サイズ（Ｘ′，Ｙ′）に応じて、リサイズ率（IＰx＝Ｘｄ／Ｘ′，IＰy＝Ｙｄ／Ｙ′）を設定し、リサイズ／補間処理して、表示書込画像サイズ（Ｘｄ、Ｙｄ）からなる表示書込画像データに変換する（ステップＳ１０９）。
ここで、スルー画像サイズ（Ｘ′，Ｙ′）は、表示部７９に表示されるスルー画像の縦横サイズである。したがって、表示書込画像サイズ（Ｘｄ、Ｙｄ）は、表示部７９に全画面表示可能なサイズとなる。
【００３７】
さらに、表示書込画像サイズ（Ｘｄ，Ｙｄ）と、ファインダー視野拡張率ＷＲ（％）、デジタルズーム倍率（ＤＺ）に従って、スルー画像表示処理（表示ＲＡＭに書込み）を実行する。このとき、前記ステップＳ１０２で設定された記録画像サイズ（ＸＲ、ＹＲ）に対応する表示領域に枠を表示し、また、視野拡張率を表示するとともに、前記撮影領域内はカラー表示し、撮影領域外はモノクロに変換して表示する（ステップＳ１１０）。
【００３８】
したがって、このＳ１１０での処理により、図５（ａ）〜（ｄ）に示すように、表示部７９には、「１００％」「１２５％×１２５％」等の視野拡張率７９１が表示され、記録画像サイズ（ＸＲ、ＹＲ）に対応する表示領域に枠７９２が表示され、また、撮影領域内７９３はカラー表示され、撮影領域外７９４はモノクロ表示される。
【００３９】
よって、ユーザは、表示されている視野拡張率７９１と、表示された撮影領域内７９３とを撮影領域外７９４視認することにより、現在設定されている視野拡張率が適切である否か、つまりより大きな視野拡張率を設定すべきであるか、より小さな視野拡張率を設定すべきであるかを判断することができる。
【００４０】
また、ユーザは、枠７９２やカラー表示された撮影領域内７９３内のスルー画像部分を視認することにより、所望する画像部分を含むか否かを視認しつつ静止画撮影を行うことができる。
【００４１】
なお、図５（ｂ）〜（ｄ）に示すように、撮影領域外７９４のスルー画像部分が表示される場合には、当該撮影領域外７９４に「※  この枠内が撮影時に記録されます」なる文字列を表示することが好ましい。これにより、初心者であっても、撮影領域内７９３内のスルー画像部分が記録される画像部分であることを認識して、所望する画像部分を含むか否かを確認しつつ撮影を行うことができる。
【００４２】
次に、レリーズ釦１０４が半押し操作（又は、ＡＦ／ＡＥロック操作）されたか否か（又は、ＡＦ／ＡＥロック操作）されたか否かを判断し（ステップＳ１１１）、操作されない場合にはステップＳ１０７に戻る。レリーズ釦１０４が半押し操作された場合には、測光処理、ＡＦ／ＡＥロック処理を実行し（ステップＳ１１２）、レリーズ釦１０４の全押しを待つ（ステップＳ１１３）。
【００４３】
レリーズ釦１０４の全押し操作されたならば、露光、撮影処理を実行し、デジタルズーム倍率（ＤＺ）に応じて、領域選択した画像を加算なしで読み出す（ステップＳ１１４）。つまり、撮像素子５６から、図５に示した撮影領域内７９３と撮影領域外７９４と含む画像に相当する画像（領域選択した画像）を画素加算することなく読み出す。したがって、このステップＳ１１４で読み出された画像には、撮影領域内７９３に相当する画像部分と撮影領域外７９４に相当する画像部分とが含まれている。
【００４４】
引き続き、このステップＳ１１４で読み出した画像を撮影画像（Ｘ″，Ｙ″）として、この撮影画像（Ｘ″，Ｙ″）の中央から、ファインダー視野拡張率ＷＲ（％）に応じて、下記式により画像サイズ（Ｘ２，Ｙ２）の撮影領域内の撮像画像データを抽出する（ステップＳ１１５）。
Ｘ２＝Ｘ″÷（ＷＲ／１００）
Ｙ２＝Ｙ″÷（ＷＲ／１００）
【００４５】
また、この画像サイズ（Ｘ２，Ｙ２）の抽出画像を、前記ステップＳ１０２で設定した記録画像サイズ（ＸＲ，ＹＲ）に応じて、下記リサイズ率（ＩＰｘ，ＩＰｙ）を設定し、記録用のリサイズを行うとともに、必要に応じて補間処理を行う（ステップＳ１１６）。
ＩＰｘ＝ＸＲ／Ｘ２
ＩＰｙ＝ＹＲ／Ｙ２
【００４６】
そして、このリサイズした撮影画像を表示部７９にレビュー表示、又は記録前のプレビュー表示した後（ステップＳ１１７）、符号化及び圧縮符号化して、メモリ媒体（画像メモリ媒体２５、又はディスク媒体４７）に記録する（ステップＳ１１８）。すなわち、前記ステップＳ１０３で設定された撮影条件に基づいて撮像素子５６及びＤＳＰ部６３を制御して露出及び撮影動作を行い、スチル記録用の高解像度の被写体撮像信号を取得する。そして、画像ＣＯＤＥＣ（符号器／復号器）７６により、ＪＰＥＧ規格等に応じた圧縮符号化データ又はＲＡＷデータなどの非圧縮の符号化データ等に符号化し、画像メモリ媒体２５又はディスク媒体４７に記録する。
【００４７】
このとき、メモリ媒体に記録される画像は、前述のように、ユーザはが枠７９２やカラー表示された撮影領域内７９３内のスルー画像部分を視認しつつ、レリーズ釦１０４を操作して撮影されたものであるから、所望する画像部分が確実に含まれており、よって、所望する画像部分を含む画像範囲を容易に撮像、記録することができる。
【００４８】
他方、ステップＳ１０１での判断の結果、静止画撮影モードが設定されてない場合には、このステップＳ１０１から図４のステップＳ１１９に進む。動画撮影モードが設定されたか否かを判断し、設定されていない場合には、その他のモード処理に移行する（ステップＳ１２０）。
【００４９】
動画撮影モードが設定されている場合には、ユーザによる操作入力部２２での操作に応じて、画像メモリ媒体２５に記録する動画の１フレームのサイズである記録画像サイズ（横：ＸＲ，縦：ＹＲ）、縦横比などを設定する（ステップＳ１２１）。次に、動画撮影の撮影条件を設定した後（ステップＳ１２２）、ワイドファインダーの選択、又はファインダー視野拡張率ＷＲ（％）を設定する（ステップＳ１２３）。このステップＳ１２３での設定動作は、図５に基づいて説明した前記ステップＳ１０４の場合と同様である。
【００５０】
ファインダー視野拡張率ＷＲ（％）が設定されたならば、前記ステップＳ１２１で設定された記録画像サイズ（ＸＲ，ＹＲ）と、前記ステップＳ１２３で設定された視野拡張率ＷＲ（％）とに応じて、下記式により表示部７９に出力する画像のサイズである出力画像サイズ（ＸＯＵＴ，ＹＯＵＴ）を設定する（ステップＳ１２４）。
ＸＯＵＴ＝（ＷＲ／１００）・ＸＲ
ＹＯＵＴ＝（ＷＲ／１００）・ＹＲ
【００５１】
したがって、出力画像サイズ（ＸＯＵＴ，ＹＯＵＴ）は、記録画像サイズ（ＸＲ，ＹＲ）の（ＷＲ／１００）倍となり、このときＷＲ＞１００であるから、出力画像サイズ（ＸＯＵＴ，ＹＯＵＴ）は、記録画像サイズ（ＸＲ，ＹＲ）以上の値となる。つまり、ＷＲ＝２００％であったとすると、
ＸＯＵＴ＝（２００／１００）・ＸＲ＝２ＸＲ
ＹＯＵＴ＝（２００／１００）・ＹＲ＝２ＹＲ
となる。
【００５２】
次に、前述したステップＳ１０６の処理と同様に、撮像フル画像サイズ（ＸＦ，ＹＦ）と前記出力画像サイズ（ＸＯＵＴ，ＹＯＵＴ）とに応じて、下記例示式により、デジタルズーム倍率（ＤＺ）の限界（ＤＺＭＡＸ）を設定する（ステップＳ１２５）。
（例）ＤＺＭＡＸ＝ＸＦ／ＸＯＵＴ
又は  ＤＺＭＡＸ＝ＹＦ／ＹＯＵＴ
【００５３】
また、ズーム操作があったか否かを判断し（ステップＳ１２６）、あった場合にはズーム処理（又は、さらに、画質劣化の少ないデジタルズーム処理）を実行する（ステップＳ１２７）。なお、このステップＳ１２７における画質劣化の少ないデジタルズーム処理にの詳細については、後述のフローチャートにおいて説明する。
【００５４】
引き続き、スルー画像／動画像の撮像処理を実行し、デジタルズーム倍率（ＤＺ）に応じて、領域選択した画像を選択された加算モードで読み出す（ステップＳ１２８）。つまり、撮像素子５６から、図５に示した撮影領域内７９３と撮影領域外７９４と含む画像に相当する画像（領域選択した画像）を、予め選択された加算モードで画素加算しながら読み出す。
【００５５】
次に、撮影スタートボタン（レリーズ釦１０４）が押下されたか否か、又は動画撮影中であるか否かを判断し（ステップＳ１２９）、この判断がＮＯである場合にはステップＳ１３２に進む。また、撮影スタートボタンが押下されるか動作撮影中である場合には、前記ステップＳ１２８で読み出した画像をサイズ（Ｘ′，Ｙ′）の撮影画像として、このサイズ（Ｘ′，Ｙ′）の撮影画像から、ファインダー視野拡張率ＷＲ（％）に応じて、下記式によりサイズ（Ｘ２，Ｙ２）の撮影領域の撮像画像データを抽出する（ステップＳ１３０）。
Ｘ２＝Ｘ′÷（ＷＲ／１００）
Ｙ２＝Ｙ′÷（ＷＲ／１００）
【００５６】
また、この画像サイズ（Ｘ２，Ｙ２）の抽出画像データを、順次動画像ＣＯＤＥＣ（符号器／復号器）７７に出力し、動画像の符号化／圧縮符号化処理、及びメモリ媒体への記録処理を実行する（ステップＳ１３１）。すなわち、前記ステップＳ１２２で設定された動画撮影の撮影条件に基づいて撮像素子５６及びＤＳＰ部６３を制御して露出及び撮影動作を行い、動画記録用の高解像度の被写体撮像信号を取得する。そして、画像ＣＯＤＥＣ（符号器／復号器）７７により、ＭＰＥＧ４やＨ．２６４／ＡＶＣ等の圧縮方式に対応した圧縮符号化し、ＡＶＩやＭＰ４等のファイル形式で画像メモリ媒体２５又はディスク媒体４７に記録する。
【００５７】
さらに、前記画像サイズ（Ｘ′，Ｙ′）の撮像フレーム画像を、前記ステップＳ１０５で説明した表示書込画像サイズ（Ｘｄ，Ｙｄ）に応じて、下記リサイズ率（ＩＰｘ，ＩＰｙ）を設定し、記録用のリサイズを行うとともに、表示用のリサイズ／補間処理を行う（ステップＳ１３２）。
ＩＰｘ＝Ｘｄ／Ｘ′
ＩＰｙ＝Ｙｄ／Ｙ′
【００５８】
そして、動画用のスルー画像表示処理（表示ＲＡＭに書込み）を実行し、このとき、前記ステップＳ１２１で設定された記録画像サイズ（ＸＲ、ＹＲ）に対応する撮影領域に枠を表示し、また、視野拡張率を表示するとともに、前記撮影領域内はカラー表示し、撮影領域外はモノクロに変換して表示する（ステップＳ１３３）。
【００５９】
したがって、このＳ１３３での処理により、図５（ａ）〜（ｄ）に示すように、表示部７９には、「１００％」「１２５％×１２５％」等の視野拡張率７９１が表示され、記録画像サイズ（ＸＲ、ＹＲ）に対応する表示領域に枠７９２が表示され、また、撮影領域内７９３はカラーされ、撮影領域外７９４はモノクロ表示される。
【００６０】
よって、ユーザは、枠７９２やカラー表示された撮影領域内７９３内のスルー画像部分を視認することにより、所望する画像部分を含むか否かを視認しつつ動画撮影を行うことができる。
【００６１】
（ズーム処理１）
図６（ａ）は、前記ステップＳ１０８及びステップＳ１２８で実行されるズーム処理の第１の処理例である光学＆デジタル連動のズーム処理（１）を示すフローチャートである。このフローチャートによる処理の開始に際して、静止画に関しては図４、５に示したメインルーチンにおけるステップＳ１０５の処理で、図６（ｂ）に示すように、
ＸＯＵＴ＝（ＷＲ／１００）・Ｘｄ
ＹＯＵＴ＝（ＷＲ／１００）・Ｙｄ
が設定されており、
動画に関してはステップＳ１２４の処理で、
ＸＯＵＴ＝（ＷＲ／１００）・ＸＲ
ＹＯＵＴ＝（ＷＲ／１００）・ＹＲ
が設定されている。
さらに、前記ステップＳ１０６又はステップＳ１２５の処理で、下記デジタルズームの限度ＤＺＭＡＸが設定されている。
ＤＺＭＡＸ＝ＸＦ／ＸＯＵＴ
又は  ＤＺＭＡＸ＝ＹＦ／ＹＯＵＴ
【００６２】
この状態において、ズーム操作があったか否かを判断し（ステップＳ２０１）、ズーム操作があったならば、ファインダー視野拡張率ＷＲ（％）の設定に従い、下記式により総合ズーム倍率Ｚを換算する（ステップＳ２０２）。
Ｚ＝ＯｐＺ×ＤＺ÷（ＷＲ／１００）
（但し、ＯｐＺ：撮像光学系５５の光学ズーム倍率）
したがって、ＷＲ＝１００パーセントのときは、Ｚ＝ＯｐＺ×ＤＺとなる。
【００６３】
次に、ズームレバー１０５に対するズーム操作（ズーム操作量）ΔＺに応じて、下記式により総合ズーム倍率（Ｚ）を増減する（ステップＳ２０３）。
Ｚ＝Ｚ±ΔＺ
【００６４】
そして、Ｚ＜ＯｐＺｍｉｎであるか否か（ＯｐＺｍｉｎ：光学ズーム倍率最小値）、又はＺ＜１であるか否かを判断する（ステップＳ２０４）。このステップＳ２０４の判断がＹＥＳであって、総合ズーム倍率ＺがＯｐＺｍｉｎ未満、又は１未満である場合には、デジタルズーム倍率ＤＺ＝１、及び光学ズーム倍率ＯｐＺ＝ＯｐＺｍｉｎ×（ＷＲ／１００）に設定する（ステップＳ２０５）。
【００６５】
引き続き、この設定した光学ズーム倍率ＯｐＺに従って、光学ズーム処理を実行し、ズームレンズ駆動部３３を制御して、ズームレンズを駆動する（ステップＳ２０６）。さらに、選択ＡＦ枠（ＡＦ枠が複数ある場合において予め選択されたＡＦ枠）又は視野中央にて、ＡＦ処理を実行し、焦点レンズ駆動部３２を制御して、焦点レンズを駆動する（ステップＳ２０７）。しかる後に、設定ＤＺに従って後述する（画質劣化の少ない）デジタルズーム処理サブルーチンに移行する（ステップＳ２０８）。
【００６６】
他方、ステップＳ２０４の判断がＮＯであって、総合ズーム倍率ＺがＯｐＺｍｉｎ以上、又は１以上である場合には、「Ｚ＞｛ＯｐＺｍａｘ÷（ＷＲ／１００）｝」であるか否か（ＯｐＺｍａｘ：光学ズーム倍率最大値）を判断する（ステップＳ２０９）。この判断がＮＯであって、総合ズーム倍率Ｚが光学ズーム倍率最大値Ｚｍａｘを（ＷＲ／１００）で除した値よりも小さい値である場合には、総合ズーム倍率Ｚの増減に応じて、光学ズーム倍率（ＯｐＺ）を優先して増減するＤＺ＝１及びＯｐＺ＝Ｚ×（ＷＲ／１００）を設定して（ステップＳ２１０）、前記ステップＳ２０６に進む。
【００６７】
また、ステップＳ２０９の判断がＹＥＳである場合には、ＯｐＺ＝ＯｐＺｍａｘとして設定する（ステップＳ２１１）。次に、デジタルズーム機能がＯＮ設定されているか否かを判断し（ステップＳ２１２）、ＯＮ設定されていないには、ＤＺ＝１を設定して（ステップＳ２１３）、前記ステップＳ２０６に進む。デジタルズーム機能がＯＮ設定されている場合には、総合ズーム倍率Ｚの増減に応じて、デジタルズーム倍率（ＤＺ）を増減するＤＺ＝（ＷＲ／１００）×Ｚ／ＯｐＺｍａｘを設定する（ステップＳ２１４）。
【００６８】
そして、このステップＳ２１４で設定したＤＺがデジタルズーム倍率最大値ＤＺｍａｘを超えるか否かを判断し（ステップＳ２１５）、超えない場合に前記ステップＳ２０６に進む。しかし、超える場合には、設定したデジタルズーム倍率ＤＺをデジタルズーム倍率最大値ＤＺｍａｘに制限して（ステップＳ２１６）、前記ステップＳ２０６に進む。
【００６９】
したがって、以上の光学＆デジタル連動のズーム処理（１）によれば、総合ズーム倍率（Ｚ）が光学ズーム倍率（ＯｐＺ）の動作範囲内の場合（Ｚｍｉｎ≦Ｚ≦｛ＯｐＺｍａｘ÷（ＷＲ／１００）｝）には、光学ズーム倍率（ＯｐＺ）を優先して増減する（ＤＺ＝１、及びＯｐＺ＝Ｚ×（ＷＲ／１００）とする）ように制御することができ、ＯｐＺをＯｐＺｍｉｎ〜ＯｐＺｍａｘの範囲内で増減することができる。
【００７０】
また、総合ズーム倍率（Ｚ）が視野拡張率（ＷＲ）を考慮した光学ズーム倍率（ＯｐＺ）の最大値を超える場合（Ｚ＞｛ＯｐＺｍａｘ÷（ＷＲ／１００）｝）には、光学ズーム倍率（ＯｐＺ）を最大値に保持したまま（ＯｐＺ＞ＯｐＺｍａｘ）、デジタルズーム機能がＯＮに設定されている場合には、総合ズーム倍率（Ｚ）の増減に応じて、デジタルズーム倍率（ＤＺ）を増減するように制御することができる。そして、ＤＺは１〜ＯｐＺｍａｘの範囲内で増減することになる。
【００７１】
これにより、図７に例示するように、光学ズーム（×１〜５倍）、撮像フル画像サイズ（ＸＦ＝２８８０、ＹＦ＝２１６０）、表示書込サイズ（Ｘｄ＝６４０，Ｙｄ＝４８０）、（動画の場合は、記録画像サイズ（ＸＲ＝６４０、ＹＲ＝４８０）のときには、図示した数値が得られる。
【００７２】
そして、このようにして設定された高額ズーム倍率（ＯｐＺ）に従って、ズームレンズを駆動して光学ズーム処理を行い、又は選択ＡＦ枠や視野中央にて、当該領域の撮像信号から検出した高周波成分やコントラスト値等の合焦検出情報に基づいて、焦点レンズを駆動してＡＦを行う。また、前記設定されたデジタルズーム倍率（ＤＺ）に従って、後述する「画質劣化の少ないデジタルズーム処理サブルーチン」により読み出された撮像画像データに基づいて、スルー画像の表示処理を行うのである。
【００７３】
（ズーム処理２）
図８（ａ）は、前記ステップＳ１０８及びステップＳ１２８で実行されるズーム処理の第１の処理例である光学＆デジタル連動のズーム処理（２）を示すフローチャートである。このフローチャートに基づく処理の開始に際しても、静止画に関しては図４、５に示したメインルーチンにおけるステップＳ１０５の処理で、図８（ｂ）に示すように、
ＸＯＵＴ＝（ＷＲ／１００）・Ｘｄ
ＹＯＵＴ＝（ＷＲ／１００）・Ｙｄ
が設定されており、
動画に関してはステップＳ１２４の処理で、
ＸＯＵＴ＝（ＷＲ／１００）・ＸＲ
ＹＯＵＴ＝（ＷＲ／１００）・ＹＲ
が設定されている。
さらに、前記ステップＳ１０６又はステップＳ１２５の処理で、下記デジタルズームの限度ＤＺＭＡＸが設定されている。
ＤＺＭＡＸ＝ＸＦ／ＸＯＵＴ
又は  ＤＺＭＡＸ＝ＹＦ／ＹＯＵＴ
【００７４】
この状態において、ズーム操作があったか否かを判断し（ステップＳ３０１）、ズーム操作があったならば、ファインダー視野拡張率ＷＲ（％）の設定に従い、下記式により総合ズーム倍率Ｚを換算する（ステップＳ３０２）。
Ｚ＝ＯｐＺ×ＤＺ÷（ＷＲ／１００）
（但し、ＯｐＺ：撮像光学系５５の光学ズーム倍率）
したがって、ＷＲ＝１００パーセントのときは、Ｚ＝ＯｐＺ×ＤＺとなる。
【００７５】
次に、ズームレバー１０５に対するズーム操作（ズーム操作量）ΔＺに応じて、下記式により総合ズーム倍率（Ｚ）を増減する（ステップＳ３０３）。
Ｚ＝Ｚ±ΔＺ
【００７６】
そして、Ｚ＜１であるか否かを判断する（ステップＳ３０４）。このステップＳ３０４の判断がＹＥＳであって、総合ズーム倍率Ｚが１未満である場合には、光学ズーム倍率ＯｐＺ＝ＯｐＺｍｉｎ、及びデジタルズーム倍率ＤＺ＝１×（ＷＲ／１００）に設定する（ステップＳ３０５）。
【００７７】
引き続き、この設定した光学ズーム倍率ＯｐＺに従って、光学ズーム処理を実行し、ズームレンズ駆動部３３を制御して、ズームレンズを駆動する（ステップＳ３０６）。さらに、選択ＡＦ枠（ＡＦ枠が複数ある場合において予め選択されたＡＦ枠）又は視野中央にて、ＡＦ処理を実行し、焦点レンズ駆動部３２を制御して、焦点レンズを駆動する（ステップＳ３０７）。しかる後に、設定ＤＺに従って後述する（画質劣化の少ない）デジタルズーム処理サブルーチンに移行する（ステップＳ３０８）。
【００７８】
他方、ステップＳ３０４の判断がＮＯであって、総合ズーム倍率Ｚが１以上である場合には、Ｚ＞ＤＺｍａｘであるか否かを判断する（ステップＳ３０９）。この判断がＮＯであって、総合ズーム倍率Ｚが光学ズーム倍率最大値Ｚｍａｘよりも小さい値である場合には、総合ズーム倍率Ｚの増減に応じて、デジタルズーム倍率（ＤＺ）を優先して増減するＯｐＺ＝１及びＯｐＺｍｉｎ、及びＤＺ＝（ＷＲ／１００）×Ｚ／ＯｐＺｍｉｎを設定して（ステップＳ３１０）、前記ステップＳ３０６に進む。
【００７９】
また、ステップＳ３０９の判断がＹＥＳである場合には、Ｚの増減に応じて、光学ズーム倍率（ＯｐＺ）を増減するＤＺ＝ＤＺｍａｘ、ＯｐＺ＝（ＷＲ／１００）×Ｚ／ＤＺｍａｘを設定する（ステップＳ３１１）。そして、このステップＳ３１１で設定したＯｐＺが光学ズーム倍率最大値ＯｐＺｍａｘを超えるか否かを判断し（ステップＳ３１２）、超えない場合に前記ステップＳ３０６に進む。しかし、超える場合には、設定した光学ズーム倍率ＯｐＺを光学ズーム倍率最大値ＯｐＺｍａｘに制限して（ステップＳ３１３）、前記ステップＳ３０６に進む。
【００８０】
したがって、以上の光学＆デジタル連動のズーム処理（２）によれば、ズーム操作に応じて、総合ズーム倍率（Ｚ）を増減設定し（Ｚ＝±ΔＺ）、総合ズーム倍率（Ｚ）の増減に応じて、総合ズーム倍率（Ｚ）がデジタルズーム倍率（ＤＺ）の動作範囲内の場合（１≦Ｚ≦ＤＺｍａｘ）には、デジタルズーム倍率（ＤＺ）を優先して増減する（ＯｐＺ＝ＯｐＺｍｉｎ、及びＤＺ＝（ＷＲ／１００）×Ｚ／ＤＺｍａｘとする）ように制御することができ、ＯｐＺをＯｐＺｍｉｎ〜ＯｐＺｍａｘの範囲内で増減することができる。
【００８１】
これにより、図９に例示するように、光学ズーム（×１〜５倍）、撮像フル画像サイズ（ＸＦ＝２８８０、ＹＦ＝２１６０）、表示書込サイズ（Ｘｄ＝６４０，Ｙｄ＝４８０）、（動画の場合は、記録画像サイズ（ＸＲ＝６４０、ＹＲ＝４８０）のときには、図示した数値が得られることとなる。
【００８２】
（（画質劣化の少ない）ズーム処理）
図１０（ａ）は、前記ステップＳ２０８及びステップＳ３０８で実行される（画質劣化の少ない）デジタルズーム処理サブルーチンを示すフローチャートである。まず、下記例に示すように、切替ステップ段数（整数）ｉ、及び、初期の加算数（整数）ｍ＝ｍ（ｉ）、ｎ＝ｎ（ｉ）を設定する（ステップＳ４０１）。
（例）ｉ＝３、ｍ（ｉ）＝ｍ３、ｎ（ｉ）＝ｎ３に設定
【００８３】
また、デジタルズーム倍率（ＤＺ）と設定された中央位置（ＸＣ、ＹＣ）を読み込む（ステップＳ４０２）。そして、撮像素子のフル画サイズ（ＸＦ，ＹＦ）と、出力画像サイズ（ＸＯＵＴ，ＹＯＵＴ）より各段の加算読出しの加算数ｍ（ｉ），n（ｉ）における（画質劣化しない）デジタルズーム倍率ＤＺの限度（切替え倍率）ＤＺＬ（ｉ）を下記のように設定する（ステップＳ４０３）。
ＤＺＬ（ｉ）＝ＩＮＴ｛ＸＦ／ｍ（ｉ）｝／ＸＯＵＴ、又は、
ＤＺＬ（ｉ）＝ＩＮＴ｛ＹＦ／ｎ（ｉ）｝／ＹＯＵＴ
【００８４】
したがって、図１０（ｂ）に示すように、例えばＸＦ＝２８８０、ＹＦ＝２１６０、ＸＯＵＴ＝６４０、ＹＯＵＴ＝４８０のときは、
ｍ１＝ｎｌ＝１、ｍ２＝ｎ２＝２、ｍ３＝ｎ３＝３、・・・とすると、
加算数ｍｌのときの限度倍率ＤＺＬＩ＝ＩＮＴ（２８８０／１）／６４０＝４．５、
加算数ｍ２のときの限度倍率ＤＺＬ２＝ＩＮＴ（２８８０／２）／６４０＝２．２５、
加算数ｍ３のときの限度倍率ＤＺＬ３＝ＩＮＴ（２８８０／３）／６４０＝１．５、
加算数ｍ４のときの限度倍率ＤＺＬ４＝ＩＮＴ（２８８０／４）／６４０＝１．１２５
・・・となる。
【００８５】
次に、デジタルズーム倍率（ＤＺ）が「１≦ＤＺ≦ＤＺＬ（ｉ）」であるか否かを判断する（ステップＳ４０４）。このステップＳ４０４の判断がＹＥＳである場合には、加算数をｍ＝ｍ（ｉ）、ｎ＝ｎ（ｉ）に設定する（ステップＳ４０５）。したがって、図１０（ｃ）に例示するように、ＸＦ＝２８８０、ＹＦ＝２１６０、ＸＯＵＴ＝６４０、ＹＯＵＴ＝４８０のとき、
初期加算数をｉ＝３、ｍ＝ｎ＝３から始めたとき、
ＤＺ＝１〜１．５倍のとき、ｍ＝ｎ＝３（３×３の加算読出し）、
ＤＺ＝１．５〜２．２５倍のとき、ｍ＝ｎ＝２（２×２加算読出し）、
ＤＺ＝２．２５〜４．５倍のとき、ｍ＝ｎ＝１（１×１加算なし読出し）
となる。
【００８６】
引き続き、デジタルズーム倍率（ＤＺ）と中央位置（ＸＣ、ＹＣ）に応じてて、選択読出し領域の画像サイズ（Ｘ，Ｙ）、読出し範囲（Ｘ１〜Ｘ２、ＹＩ〜Ｙ２）を下記のように設定する（ステップＳ４０６）。
Ｘ＝ＩＮＴ（ＸＦ／ＤＺ）、Ｙ＝ＩＮＴ（ＹＦ／ＤＺ）、
Ｘ１＝ＸＣ−Ｘ／２，Ｘ２＝ＸＣ＋Ｘ／２、
Ｙ１＝ＹＣ−Ｙ／２，Ｙ２＝ＹＣ十Ｙ／２、
ただし、Ｘ１＜０のとき、Ｘ１＝０、Ｘ２＝Ｘ、
ＹＩ＜０のとき、Ｙ１＝０、Ｙ２＝Ｙ、
Ｘ２＞ＸＦのとき、Ｘ１＝ＸＦ−Ｘ、Ｘ２＝ＸＦ、
Ｙ２＞ＹＦのとき、Ｙ１＝ＹＦ−Ｙ、Ｙ２＝ＹＦ
【００８７】
したがって、図１０（ｄ）に示すように、例えばＸＦ＝２８８０、ＹＦ＝２１６０、ＤＺ＝１．２倍のときは、
Ｘ＝ＩＮＴ（ＸＦ／ＤＺ）＝（２８８０／１．２）＝２４００
Ｙ＝ＩＮＴ（ＹＦ／ＤＺ）＝（２１６０／１．２）＝１８００
となる。
次に、撮像素子から読出し範囲（Ｘ１〜Ｘ２，Ｙ１〜Ｙ２）の画像信号を、加算数（ｍ，ｎ）に従って加算して（又は加算なしで）読出し、画像サイズ（Ｘ′，Ｙ′）＝（Ｘ／ｍ，Ｙ／ｎ）の画像信号をＤＳＰ部６３に読込む（ステップＳ４０７）。そして、前記サイズ（Ｘ′，Ｙ′）の画像データを出力する（ステップＳ４０８）。
【００８８】
したがって、図１０（ｅ）に示すように、例えばＤＺ＝１．２倍、加算数ｍ＝３，ｎ＝３のときは、
Ｘ′＝Ｘ／ｍ＝（２４００／３）＝８００
Ｙ′＝Ｙ／ｎ＝（１８００／３）＝６００
となり、８００×６００画素の（３×３）加算画像を得る。
【００８９】
他方、ステップＳ４０４での判断がＮＯである場合には、「ｉ」の値をデクリメントし（ステップＳ４０９）、このデクリメントした「ｉ」の値が「１」以上であるか否かを判断する（ステップＳ４１０）。ｉ≧１であって、デクリメントした「ｉ」が正の値である間は、ステップＳ４１０から前記ステップＳ４０３に戻る。そして、デクリメントされた「ｉ」の値を代入して、ステップＳ４０３の処理を実行し、これによりステップＳ４０４の判断がＹＥＳとなった場合には、前述したステップＳ４０５以降の処理を実行する。
【００９０】
しかし、ステップＳ４０９でのデクリメントにより、「ｉ」の値が「０」となってしまった場合には、ステップＳ４１０の判断がＮＯとなる。この場合には、デジタルズームを終了し、又はエラー処理を行う（ステップＳ４１１）。そして、加算数の最小値「１」をｍ及びｎに設定して、前述したステップＳ４０６以降の処理を実行する。
【００９１】
（撮像素子）
前記撮像素子５６を、例えば、ＣＣＤイメージセンサで構成した場合には、入射光によってフォトダイオードに発生した信号電荷を増幅せずにそのまま、垂直と水平のＣＣＤ転送路によって順繰りに転送され、出力回路で初めてＦＤ（Ｆｌｏａｔｉｎｇ  Ｄｉｆｆｕｓｉｏｎ）アンプにより信号電圧に増幅されて出力される。ＣＣＤから出力された撮像信号は、ＣＤＳ回路（相関二重サンプル回路）でノイズ除去およびサンプル＆ホールド処理され、ＡＧＣ（自動利得制御）アンプで増幅され、ＡＤＣ（Ａ／Ｄ変換器）でデジタル撮像信号に変換されて、ＤＳＰ（信号処理回路）に出力される。
【００９２】
一方、撮像素子をＣＭＯＳ（相補型金属一酸化膜半導体）イメージセンサで構成する場合には、図２示したような、一般的なＡＰＳ（増幅型画素センサ）型のＣＭＯＳセンサでは、フォトダイオードを含む単位画素回路毎に増幅素子（アンプ）が内蔵されており、フォトダイオードで光電変換された信号電荷は画素回路内アンプで一旦増幅され、垂直走査回路からの行アドレス選択信号と水平走査回路からの列選択信号によりＸＹアドレス方式で選択された画素毎の撮像信号が、出力から順次電圧又は電流として取り出すことができる。ＣＣＤのように順番に取り出さなくとも、ＣＭＯＳセンサでは、任意の画素や領域の撮像信号だけを、任意の順序で取り出しできるので、デジタルズーム処理で所定領域のみを切出して読出す場合には、高速で読み出せる。
【００９３】
また、ＣＣＤでは、信号電荷をそのまま転送するのでスミアやノイズに弱いが、ＣＭＯＳセンサでは、画素毎にランダムアクセスで読出せ、各画素回路は電気的に分離しているので伝送ノイズに強く、またＣＭＯＳ  ＬＳＩ等と同様に、同じ製造プロセスにてイメージセンサ部の周辺に各種のＣＭＯＳ回路や加算演算回路などデジタル論理回路などを高集積化して比較的容易に一緒に作りこめる利点がある。その反面、ＣＭＯＳセンサでは、画素毎のアンプの闇値など、個々の素子バラツキによる固定パターンノイズ（ＦＰＮ）や暗電流、ＫＴＣ雑音が大きい難点があったが、（ＣＣＤと同様に）埋め込みフォトダイオードとＦＤアンプを用いる構造にして、暗電流とＫＴＣ雑音を低減できるようになり、列信号線毎に並列に並んだ列回路に設けたＣｏｌｕｍｎ型のＣＤＳ／ＡＤＣ回路等により、フォトダイオードをリセットする前と後の信号を減算して固定パターンノイズを除去できるようになり、列回路毎に積分型や巡回型、逐次型などのＡＤ変換器を組み込んで、デジタル信号での撮像信号出力も容易になった。
【００９４】
本実施の形態に係るデジタルカメラ１００に用いる撮像素子では、任意のサイズの画像領域を選択して、領域内の画素の撮像信号を読み出す選択読み出しができるように、図１１に示す撮像素子２００を用いることが好ましい。すなわち、この撮像素子２００は、タイミング発生回路２０１に接続された垂直走査回路２０２と水平走査回路２０３及び列回路部２０４を備えるとともに、並列直列変換部２０４、符号器２０５を有している。列回路部２０４には、ＣＤＳ回路２０６、Ａ／Ｄ変換回路２０７、画素加算回路２０８を一組とする回路が複数設けられて、各々列信号線２０９が接続されている。一方、垂直走査回路２０２には、行選択線（アドレス線）２１０と転送ＴＣ線（行読出し線）２１１及び行リセット線２１２とが接続されている。また、イメージセンサ部２１３には、複数の単位画素回路２１４が設けられており、各単位画素回路２１４は、前記列信号線２０９、行選択線（アドレス線）２１０、転送ＴＣ線（行読出し線）２１１、行リセット線２１２に接続されたフォトダイオード２１５等で構成されている。
【００９５】
したがって、この撮像素子２００においては、列回路部２０４のＣＤＳ回路２０６、Ａ／Ｄ回路２０７の後段に隣接する同色（フィルタ）の複数の画素の信号同士をデジタル信号で加算する画素加算回路２０８を設けることにより、デジタルズーム時には、選択領域内の画素データを任意の行列毎に所定の複数画素分加算された撮像信号を読出しできるように構成し、スルー画像や動画撮影において、高速レートでも、画像データ量の小さい撮像信号に変換して出力できるようにしてある。
【００９６】
なお、選択読出された選択領域の撮像信号、さらに画素加算された撮像信号は、列回路部２０４のＣＤＳ回路２０６、Ａ／Ｄ回路２０７から水平走査回路２０２の列選択信号により選択された列信号が順次出力されるが、このとき、高速クロックに同期させて並列のデジタル信号として出力するか、若しくは、並列のデジタル信号を符号化し、並列／直列変換回路により変換して、直列のデジタル撮像信号として出力して、高解像度の撮像信号を、ＤＳＰに高速フレームレートで転送出力することができる。
【００９７】
（ＤＳＰ部）
撮像素子５６がＣＭＯＳイメージセンサの場合にはＣＭＯＳセンサ内蔵のＣＤＳ／ＡＤＣ回路でノイズ除去及びデジタル変換され、同じく内蔵の高速出力回路から並列又は直列のデジタル信号で転送された撮像信号を入力すると、ＤＳＰ部６３は、まずホワイトバランス調整やカラーバランス調整を行った後に、撮像素子５６の前面に設けられ、モザイク状の「ベイヤー（Ｂａｙｅｒ）配列」や、水平／垂直に２画素単位の繰り返し周期で千鳥配列されたＧｒｅｅｎ市松Ｒ／Ｂ色差線順次方式など、ＲＧＢ原色フィルタなどカラーフィルタ配列に従って、画素毎には一つの色成分しか持たないが、他の色差成分の画素値も、近隣周辺の画素値から画素補間（Ｐｉｘｅｌ  Ｓｉｇｎａｌ  Ｉｎｔｅｒｐｏｌａｔｉｏｎ）して求めて（カラー補間処理）、画素毎にＲＧＢ色差成分毎の階調値を持つデジタル画像データに変換される。
【００９８】
また、カラー補間の前に、必要に応じて、リサイズ／補間処理回路により、撮像画像サイズを異なる画像サイズに変換する解像度変換処理（Ｒｅｓｏｌｕｔｉｏｎ  Ｃｏｎｖｅｒｓｉｏｎ）を行う場合もある。例えば、スルー画像や再生画像をファインダーや画像モニタに表示する為にｖｉｄｅｏ  ＲＡＭや表示ドライバ内の表示ＲＡＭ領域に書込む為に、所定の画像サイズ（ＶＧＡサイズなど）に変換するリサイズ（Ｒｅｓｉｚｅ）、若しくは、補間処理（ｌｎｔｅｒｐｏｌａｔｉｏｎ）を行う。あるいは、撮影記録時に、所望の記録画像サイズで記録する為に、設定記録画像サイズの画像に縮小／拡大処理や、リサイズ／補間処理もしくは解像度変換処理を行う。リサイズや補間処理を行った場合に、画像がぽけたり解像感が落ちたりしやすいので、合せて、アンシャープネス・フィルタ（Ｕｎｓｈａｒｐｎｅｓｓ  Ｆｉｌｔｅｒｉｎｇ）など輪郭強調フィルタ演算や画像鮮鋭化フィルタ処理などを行うことが好ましい。さらに、ＤＳＰ部６３では、ガンマ補正回路により階調補正されたＲＧＢ系のデジタル画像信号はバッファメモリに一時記憶された後、ＬＣＤモニタなど電子ファインダーに再生表示されるか、カラーマトリクス回路でＲＧＢ系からＹＵＶ系／ＹＣｂＣｒ系など所定の色空間の画像信号に変換され、画像ＣＯＤＥＣにより、ＪＰＥＧ静止画像データやＭＰＥＧ４やＨ．２６４動画像データなどに圧縮／符号化処理される。
【００９９】
（広角ズームレンズ）
画素数を落とす場合には、間引きや圧縮補間を行うので、撮影画角は変わらないが、ワイドファインダーの場合は、小さい画角範囲を切り出すことになる。ズームレンズの場合には、撮影できる画角の範囲が狭くなるので、広角撮影がし難く、望遠側に偏ったズーム系になってしまう問題が生ずる。このため、通常使用されるファインダー表示の視野拡張率の範囲を１２５〜２００％の範囲とすると、それに応じて、通常よりも１／１．２５〜１／２程度、やや広角側にシフトしたズームレンズ系と組み合わせることにより、前記問題を解決することができる。
【０１００】
図１２に、ズームレンズ系の構成例と光学ズーム倍率、視野拡張率の関係を示す。最も利用されるのが視野率ＷＲ＝１２５％程度なら、例えば、１／２型撮像素子の５倍光学ズーム系において、通常の焦点距離＝６．２〜３２ｍｍ（３５ｍｍフィルム換算で約３５〜１７５ｍｍ）の場合、Ｗ端の焦点距離を６．２ｍｍ÷（１４１／１００）＝４．４ｍｍ以下の広角、すなわち、焦点距離４．４〜２２ｍｍ（３５ｍｍフィルム換算では約２４．８〜１２４ｍｍ）のズーム系に設定すればよい。
【０１０１】
また、この際、実際の焦点距離の代わりに、撮影画角（角度）又は３５ｍｍフィルム換算の焦点距離などを算出して、表示部７９に表示させる表示制御手段を設けるようにしてもよい。
【０１０２】
さらに、通常時のズームレンズの動作範囲をやや望遠側に寄った範囲で可動動作させ、ワイドファインダーでは、逆に、ファインダー視野拡張率に応じて、ズームレンズ動作範囲を広角側に寄った範囲で動作させるように制御する制御手段を設けるようにしてもよい。ワイドファインダーにした場合にも、通常時と実質的に略同等な撮影範囲（画角）になるように、ファインダー視野拡張率に応じて、ズーム焦点距離又は光学ズーム倍率を、自動的に設定する設定手段を設けるようにしてもよい。
【０１０３】
これにより、ファインダー視野拡張率に応じて、適切な光学ズーム倍率を設定することができる。
【０１０４】
（その他の実施の形態）
なお、本実施の形態においては、表示部７９に単一画面でスルー画像を表示するようにしたが。図１３及び図１４に示す表示形態でスルー画像を表示するようにしてもよい。すなわち、図１３の表示形態においては、（ａ）に示すように、表示部７９にスルー画像のフォーカス選択表示を行って、フォーカス位置を選択させ、（ｂ）に示すスルー画像又は撮影画像データのサイズから、（ｃ）に示す表示画像のサイズを切り出すとともに、フォーカス位置を中心とした所定範囲を切り出して拡大させる。そして、（ｄ）に示すように、前記切り出したサイズの表示画像をスルー画像として表示させるとともに、これに重畳させてフォーカス位置の拡大表示によりピント確認用の拡大表示を行う。したがって、ユーザがピント確認用の拡大表示を視認することにより、ピントが合っているか否かを精度よく確認することができる。
【０１０５】
また、図１４（ａ）に示すように、ユーザによるフォーカス位置の選択を要することなく、画像の中心部を複数の倍率により別画面で表示したり、同図（ｂ）に示すように、非被写体人物を認識して、認識した被写体人物部分を重畳表示するようにしてもよい。
【符号の説明】
【０１０６】
２    制御回路
２２    操作入力部
２３    プログラムメモリ
２４    データメモリ
２５    画像メモリ媒体
３３    ズームレンズ駆動部
３４    駆動部
３５    シャッタ駆動部
４６    ＨＤＤ記憶装置
４７    ディスク媒体
５５    撮像光学系
５６    撮像素子
５８    シャッタ
５９    イメージセンサ部
６０    水平走査部
６１    垂直走査部
６２    Ｐ／Ｓ変換部
６３    ＤＳＰ
６５    バッファメモリ
６７    リサイズ／画素補間部
６８    カラー補間部
７５    バッファメモリ
７６    画像ＣＯＤＥＣ
７７    動画像ＣＯＤＥＣ
７８    表示駆動回路
７９    表示部
１００    デジタルカメラ
１０５    ズームレバー
１０６    撮影モードダイアル
１０９    ＯＫキー
２００    撮像素子
【図１】
2011229172.tif 000003
【図２】
2011229172.tif 000004
【図３】
2011229172.tif 000005
【図４】
2011229172.tif 000006
【図５】
2011229172.tif 000007
【図６】
2011229172.tif 000008
【図７】
2011229172.tif 000009
【図８】
2011229172.tif 000010
【図９】
2011229172.tif 000011
【図１０】
2011229172.tif 000012
【図１１】
2011229172.tif 000013
【図１２】
2011229172.tif 000014
【図１３】
2011229172.tif 000015
【図１４】
2011229172.tif 000016
【手続補正書】
【提出日】平成23年6月28日(2011.6.28)
【手続補正１】
【補正対象書類名】明細書
【補正対象項目名】０００７
【補正方法】変更
【補正の内容】
【０００７】
前記課題を解決するため本発明は、被写体を撮像して画像データを出力する撮像手段と、画像データを表示する表示手段と、画像データを記録する記録手段とを備えた撮像装置であって、前記撮像手段により撮像された画像データから第１の画像サイズを有する第１の画像データを取得し、この取得した第１の画像データをスルー画像として前記表示手段に表示させるとともに、前記撮像手段により撮像された画像データから第２の画像サイズを有する第２の画像データを取得し、この取得した第２の画像データを前記記録手段に記録する制御手段と、前記第１の画像サイズと前記第２の画像サイズとの比率である視野拡張率を任意の値に設定する拡張率設定手段と、前記拡張率設定手段により設定された視野拡張率となるように、前記第１の画像サイズと前記第２の画像サイズとを決定するサイズ決定手段と、を備える撮像装置、撮像装置の表示制御方法、または撮像装置の表示制御プログラムであることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
本発明によれば、任意の視野拡張率の設定に従って、スルー画像として表示する画像のサイズや記録する画像のサイズを決定することが可能となる。
【手続補正１２】
【補正対象書類名】特許請求の範囲
【補正対象項目名】全文
【補正方法】変更
【補正の内容】
【特許請求の範囲】
【請求項１】
被写体を撮像して画像データを出力する撮像手段と、画像データを表示する表示手段と、画像データを記録する記録手段とを備えた撮像装置であって、
前記撮像手段により撮像された画像データから第１の画像サイズを有する第１の画像データを取得し、この取得した第１の画像データをスルー画像として前記表示手段に表示させるとともに、前記撮像手段により撮像された画像データから第２の画像サイズを有する第２の画像データを取得し、この取得した第２の画像データを前記記録手段に記録する制御手段と、
前記第１の画像サイズと前記第２の画像サイズとの比率である視野拡張率を任意の値に設定する拡張率設定手段と、
前記拡張率設定手段により設定された視野拡張率となるように、前記第１の画像サイズと前記第２の画像サイズとを決定するサイズ決定手段と、
を備えることを特徴とする撮像装置。
【請求項２】
前記制御手段は、前記第１の画像データをスルー画像として前記表示手段に表示させる際に、前記第２の画像サイズを識別可能な状態で表示することを特徴とする請求項１に記載の撮像装置。
【請求項３】
前記制御手段は、前記撮像手段により撮像された第３の画像サイズを有する第３の画像データから、この第３の画像サイズよりも小さい第１の画像サイズを有する第１の画像データを取得し、この取得した第１の画像データをスルー画像として前記表示手段に表示させるとともに、前記撮像手段により撮像された画像データから前記第１の画像サイズよりも小さい第２の画像サイズを有する第２の画像データを取得し、この取得した第２の画像データを前記記録手段に記録することを特徴とする請求項１または２に記載の撮像装置。
【請求項４】
ズーム倍率を任意の値に設定するズーム倍率設定手段を更に備え、
前記サイズ決定手段は、前記ズーム倍率設定手段により設定されたズーム倍率と前記拡張率設定手段により設定された視野拡張率とに応じて、前記第１の画像サイズと前記第２の画像サイズとを決定することを特徴とする請求項３に記載の撮像装置。
【請求項５】
前記ズーム倍率設定手段は、デジタルズーム処理の倍率であるデジタルズーム倍率の設定を含み、
前記サイズ決定手段は、前記ズーム倍率設定手段により設定されたデジタルズーム倍率と前記第３の画像サイズとに応じて、前記第１の画像サイズと前記第２の画像サイズとを決定することを特徴とする請求項４に記載の撮像装置。
【請求項６】
前記サイズ設定手段は、ユーザー操作に応じて前記記録手段に記録する画像データのサイズである第４の画像サイズを任意の値に設定し、
前記制御手段は、前記取得した第２の画像サイズを有する第２の画像データを、前記サイズ設定手段により設定された第４の画像サイズにリサイズしてから記録することを特徴とする請求項１乃至５のいずれかに記載の撮像装置。
【請求項７】
前記拡張率設定手段は、前記視野拡張率を１００％から１００％を越える所定値までの範囲で可変可能に設定することを特徴とする請求項１乃至６のいずれかに記載の撮像装置。
【請求項８】
前記制御手段は、前記第１の画像データをスルー画像として前記表示手段に表示させる際に、前記任意の値に設定された視野拡張率を示す数値を表示させることを特徴とする請求項１乃至７のいずれかに記載の撮像装置。
【請求項９】
被写体を撮像して画像データを出力する撮像手段と、画像データを表示する表示手段と、画像データを記録する記録手段とを備えた撮像装置の表示制御方法であって、
前記撮像手段により撮像された画像データから第１の画像サイズを有する第１の画像データを取得し、この取得した第１の画像データをスルー画像として前記表示手段に表示させるとともに、前記撮像手段により撮像された画像データから第２の画像サイズを有する第２の画像データを取得し、この取得した第２の画像データを前記記録手段に記録する制御工程と、
前記第１の画像サイズと前記第２の画像サイズとの比率である視野拡張率を任意の値に設定する拡張率設定工程と、
前記拡張率設定工程により設定された視野拡張率となるように、前記第１の画像サイズと前記第２の画像サイズとを決定するサイズ決定工程と、
を含むことを特徴とする撮像装置の表示制御方法。
【請求項１０】
被写体を撮像して画像データを出力する撮像手段と、画像データを表示する表示手段と、画像データを記録する記録手段とを備えた撮像装置が有するコンピュータを、
前記撮像手段により撮像された画像データから第１の画像サイズを有する第１の画像データを取得し、この取得した第１の画像データをスルー画像として前記表示手段に表示させるとともに、前記撮像手段により撮像された画像データから第２の画像サイズを有する第２の画像データを取得し、この取得した第２の画像データを前記記録手段に記録する制御手段と、
前記第１の画像サイズと前記第２の画像サイズとの比率である視野拡張率を任意の値に設定する拡張率設定手段と、
前記拡張率設定手段により設定された視野拡張率となるように、前記第１の画像サイズと前記第２の画像サイズとを決定するサイズ決定手段と、
して機能させることを特徴とする表示制御プログラム。